(57)【特許請求の範囲】
【請求項１】
窓を遮蔽するスクリーンと、
前記スクリーンの基端が取り付けられて前記スクリーンを巻き取る巻取シャフト、前記巻取シャフトを回転可能に支持して前記スクリーンを収容するケース、及び、前記スクリーンを巻き取る方向と前記スクリーンを展開させる方向とに前記巻取シャフトを回転させる駆動手段を有する巻取装置と、
前記スクリーンに取り付けられて前記巻取シャフトに前記スクリーンとともに巻き取られ、前記巻取シャフトから前記スクリーンとともに展開して前記スクリーンを展開状態に保持する自立可能な保持手段と、
を備えたシェード装置であって、
前記保持手段は、それぞれの長さ方向への伸張状態で並置されて前記スクリーンを保持し、それぞれの幅方向において平らな形状で前記巻取シャフトに巻き取られた巻取状態で前記ケースに収容される第１保持部材と第２保持部材を有し、
前記第１保持部材は、前記巻取状態から前記伸張状態に復元する弾性を有し、幅方向において弧状に湾曲して前記伸張状態を維持し、
前記第２保持部材は、前記伸張状態から前記巻取状態に復元する弾性を有する定荷重ばねからなり、幅方向において弧状に湾曲して前記伸張状態を維持するとともに、弧状に湾曲した凸状の湾曲面側に変形して、その弾性により前記巻取状態に復元し、
前記第１保持部材と前記第２保持部材は、前記伸張状態で互いに反対方向に湾曲し、平らな形状で重なる状態で前記巻取シャフトに巻き取られるシェード装置。
【請求項２】
請求項１に記載されたシェード装置において、
前記第１保持部材と前記第２保持部材は、前記伸張状態で、弧状に湾曲した凹状の湾曲面を対向させて配置されるシェード装置。
【請求項３】
請求項１又は２に記載されたシェード装置において、
前記スクリーンが前記ケースに収容された状態で、前記スクリーンの先端が、前記巻取シャフトに巻き取られず、前記第１保持部材の先端と前記第２保持部材の先端が、それぞれの幅方向において弧状に湾曲するシェード装置。
【請求項４】
請求項３に記載されたシェード装置において、
前記第１保持部材の先端と前記第２保持部材の先端を、それぞれの幅方向において弧状に湾曲する形状に保持する保形部材を備えたシェード装置。
【発明の詳細な説明】
【技術分野】
【０００１】
本発明は、スクリーンにより窓を遮蔽するシェード装置に関する。
【背景技術】
【０００２】
シェード装置のスクリーンは、一般に、ケース内の巻取シャフトに巻き取られて、ケースに収容される。シェード装置は、スクリーンを巻取シャフトから窓に沿って展開し、保持手段によりスクリーンを展開状態に保持して、スクリーンにより窓を遮蔽する。シェード装置の保持手段は、スクリーンに取り付けられて、例えば、スクリーンの巻取時と展開時に、駆動装置により駆動される。また、従来、自立可能な支持部材（保持手段）によりシート（スクリーン）を展開状態に保持し、支持部材をシートとともに巻取部材（巻取シャフト）に巻き取るブラインド装置が知られている（特許文献１参照）。
【０００３】
特許文献１に記載された従来のブライド装置では、支持部材は、湾曲した断面形状を有する帯状板であり、巻取部材に巻き取られる際に弾性変形する。また、複数の帯状板を同じ方向に湾曲する状態で重ね合わせて、支持部材によるシートの保持力を高くする。ところが、複数の帯状板を重ね合わせると、支持部材が弾性変形し難くなり、支持部材の巻き取りとケースへの収容が困難になる。
【０００４】
また、支持部材を巻取部材に巻き取ったときに、支持部材を広げる力（復元力）が大きくなり、シートが、支持部材により、ケースの内面、又は、ケースの出入口のエッジに強く押し付けられる。これに伴い、シートの巻取時と展開時に、シートの摩耗、又は、損傷が生じ易くなる。これに対し、巻取部材に巻き取られた支持部材の直径を大きくすることで、支持部材を広げる力が緩和される。しかしながら、支持部材の直径に対応して、ケースが大きくなり、ブラインド装置の設置に要するスペースが大きくなる。
【先行技術文献】
【特許文献】
【０００５】
【特許文献１】特開２００２−２７４１７２号公報
【発明の概要】
【発明が解決しようとする課題】
【０００６】
本発明は、前記従来の問題に鑑みなされたもので、その目的は、シェード装置の保持手段によるスクリーンの保持力を高くし、かつ、スクリーンと保持手段を収容するケースを大きくせずに、ケース内の巻取シャフトに保持手段をスクリーンとともに容易に巻き取ることである。
【課題を解決するための手段】
【０００７】
本発明は、窓を遮蔽するスクリーンと、前記スクリーンの基端が取り付けられて前記スクリーンを巻き取る巻取シャフト、前記巻取シャフトを回転可能に支持して前記スクリーンを収容するケース、及び、前記スクリーンを巻き取る方向と前記スクリーンを展開させる方向とに前記巻取シャフトを回転させる駆動手段を有する巻取装置と、前記スクリーンに取り付けられて前記巻取シャフトに前記スクリーンとともに巻き取られ、前記巻取シャフトから前記スクリーンとともに展開して前記スクリーンを展開状態に保持する自立可能な保持手段と、を備えたシェード装置である。前記保持手段は、それぞれの長さ方向への伸張状態で並置されて前記スクリーンを保持し、それぞれの幅方向において平らな形状で前記巻取シャフトに巻き取られた巻取状態で前記ケースに収容される第１保持部材と第２保持部材を有する。前記第１保持部材は、前記巻取状態から前記伸張状態に復元する弾性を有し、幅方向において弧状に湾曲して前記伸張状態を維持する。前記第２保持部材は、前記伸張状態から前記巻取状態に復元する弾性を有する定荷重ばねからなり、幅方向において弧状に湾曲して前記伸張状態を維持するとともに、弧状に湾曲した凸状の湾曲面側に変形して、その弾性により前記巻取状態に復元する。前記第１保持部材と前記第２保持部材は、前記伸張状態で互いに反対方向に湾曲し、平らな形状で重なる状態で前記巻取シャフトに巻き取られる。
【発明の効果】
【０００８】
本発明によれば、シェード装置の保持手段によるスクリーンの保持力を高くすることができ、かつ、スクリーンと保持手段を収容するケースを大きくせずに、ケース内の巻取シャフトに保持手段をスクリーンとともに容易に巻き取ることができる。
【図面の簡単な説明】
【０００９】
【図１】本実施形態のシェード装置の斜視図である。
【図２】本実施形態のシェード装置の正面図である。
【図３】本実施形態のシェード装置の正面図である。
【図４】分解されたシェード装置の斜視図である。
【図５】分解されたスクリーンと保持手段の斜視図である。
【図６】巻取シャフトに巻き取られる第１保持部材と第２保持部材を示す斜視図である。
【図７】図６に示す第１保持部材と第２保持部材の斜視図である。
【図８】スクリーンに取り付けられた第１保持部材と第２保持部材の断面図である。
【図９】本実施形態のシェード装置の動作を示す断面図である。
【図１０】他の実施形態のシェード装置の正面図である。
【発明を実施するための形態】
【００１０】
本発明のシェード装置の一実施形態について、図面を参照して説明する。
本実施形態のシェード装置は、窓を遮蔽可能なスクリーン装置であり、窓の全部又は一部を遮蔽する。例えば、シェード装置は、車両の窓に設置されて、車両内でスクリーンにより窓を遮蔽及び開放する。
【００１１】
図１は、本実施形態のシェード装置１の斜視図であり、窓を遮蔽するシェード装置１を示している。図２、図３は、本実施形態のシェード装置１の正面図であり、窓２に設置されたシェード装置１を示している。図２は、窓２を開放したシェード装置１を示し、図３は、窓２を遮蔽したシェード装置１を示している。
図示のように、シェード装置１は、窓２を遮蔽するスクリーン１０と、スクリーン１０を保持する２つの保持手段２０と、スクリーン１０を巻き取る巻取装置３０を備えている。
【００１２】
スクリーン１０は、巻取可能な遮蔽部材であり、窓２の形状に対応した形状（ここでは、矩形状）に形成されている。窓２の遮蔽時に、スクリーン１０は、巻取装置３０により、巻取装置３０から繰り出されて、展開方向Ｔに展開する。スクリーン１０が窓２に沿って展開して、窓２がスクリーン１０により覆われる。窓２の開放時には、スクリーン１０は、巻取装置３０により、展開方向Ｔの反対方向（巻取方向Ｍ）に巻き取られて、巻取装置３０内に収容される。
【００１３】
スクリーン１０は、展開方向Ｔの先端１１に設けられたステイ４０を有する。ステイ４０は、スクリーン１０の先端１１の全体を保持して、スクリーン１０とともに展開方向Ｔと巻取方向Ｍに移動する。ここでは、展開方向Ｔは、上方向であり、巻取方向Ｍは、下方向である。また、スクリーン１０の先端１１は、スクリーン１０の上端であり、ステイ４０は、スクリーン１０の上端に設けられたアッパーステイである。
【００１４】
保持手段２０は、自立可能な帯状の保持体であり、スクリーン１０の両側縁１２に取り付けられている。スクリーン１０の両側縁１２のそれぞれで、保持手段２０は、スクリーン１０の展開方向Ｔに沿ってスクリーン１０に取り付けられて、スクリーン１０の側縁１２を保持する。ステイ４０の両端が２つの保持手段２０の先端２１に連結されて、ステイ４０が２つの保持手段２０の先端２１の間に架け渡される。スクリーン１０の展開時に、スクリーン１０は、２つの保持手段２０の間に展開状態に保持されるとともに、保持手段２０と先端１１のステイ４０により、窓２に沿って広げられた状態に保持される。
【００１５】
窓２の開放時には、スクリーン１０と保持手段２０が巻取装置３０により巻き取られて、保持手段２０が巻取状態（巻取形状）で巻取装置３０内に収容される。窓２の遮蔽時には、スクリーン１０と保持手段２０が巻取装置３０から展開して、保持手段２０が長さ方向に伸びる伸張状態（伸張形状）になる。保持手段２０は、スクリーン１０とともに展開方向Ｔに展開して、展開途中及び展開後のスクリーン１０を保持する。その際、保持手段２０とスクリーン１０が巻取装置３０から繰り出されて、保持手段２０が窓２に沿って展開する。また、保持手段２０は、スクリーン１０の先端１１のステイ４０を移動させて、スクリーン１０を展開させる。スクリーン１０は、保持手段２０により展開状態に保持されて、窓２を遮蔽する。
【００１６】
図４は、分解されたシェード装置１の斜視図であり、主に、分解された巻取装置３０の各部を示している。
図示のように、巻取装置３０は、スクリーン１０を巻き取る巻取シャフト３１と、スクリーン１０を収容する筒状のケース５０と、巻取シャフト３１を回転させる駆動手段６０を有する。巻取シャフト３１は、円筒状の巻取部材であり、長さ方向の両端に固定されたベアリング３２を有する。スクリーン１０の基端１３が巻取シャフト３１に取り付けられて、スクリーン１０が基端１３から先端１１に向かって巻取シャフト３１の外周３３に巻き取られる。
【００１７】
ここでは、取付孔３４が、２つの保持手段２０の基端２２、及び、スクリーン１０の基端１３（基端２２が位置する２箇所）に形成されている。また、取付部材であるネジ３５が、取付孔３４を通して、ベアリング３２のネジ孔３６に取り付けられている。スクリーン１０の基端１３と保持手段２０の基端２２がネジ３５により巻取シャフト３１に取り付けられ、スクリーン１０と保持手段２０が一体に巻取シャフト３１に巻き取られる。
【００１８】
ケース５０は、メインケース５１と、メインケース５１の両端に取り付けられた２つのサイドケース（第１サイドケース５２、第２サイドケース５３）と、第２サイドケース５３に取り付けられたギアホルダ５４と、出入口５５を有する。巻取シャフト３１がケース５０内に収容されて、巻取シャフト３１のベアリング３２が第１サイドケース５２とギアホルダ５４に連結される。
【００１９】
巻取シャフト３１がケース５０により回転可能に支持されて、回転する巻取シャフト３１にスクリーン１０と保持手段２０が巻き取られる。スクリーン１０と保持手段２０は、出入口５５を通って、ケース５０の内部と外部とに移動する。スクリーン１０がケース５０に収容された状態で、ステイ４０は、ケース５０の出入口５５に配置される。スクリーン１０の展開時に、保持手段２０は、巻取シャフト３１とケース５０により支持されて自立する。
【００２０】
駆動手段６０は、スクリーン１０の巻取時と展開時に巻取シャフト３１を回転させる回転駆動装置であり、例えば、操作スイッチの操作により起動して、巻取シャフト３１を回転駆動する。駆動手段６０により、巻取シャフト３１が、スクリーン１０を巻き取る方向（第１回転方向）に回転して、スクリーン１０と保持手段２０が、巻取シャフト３１に巻き取られる。保持手段２０は、巻取シャフト３１にスクリーン１０とともに巻き取られて、ケース５０に収容される。また、駆動手段６０により、巻取シャフト３１が、スクリーン１０を展開させる方向（第２回転方向）に回転して、スクリーン１０と保持手段２０が、巻取シャフト３１から繰り出されて展開する。保持手段２０は、巻取シャフト３１からスクリーン１０とともに展開して、スクリーン１０を展開状態に保持する。
【００２１】
駆動手段６０は、ギアホルダ５４に固定されるギアボックス６１と、ギアボックス６１を覆うギアボックスカバー６２と、ギアボックス６１に取り付けられたモータ６３と、ギア伝動機構６４を有する。モータ６３は、回転の動力源（ここでは、電動モータ）であり、ギア伝動機構６４に連結されている。駆動手段６０は、ギア伝動機構６４により、モータ６３の回転の動力を巻取シャフト３１に伝達して、巻取シャフト３１を両方向に回転させる。ギア伝動機構６４は、減速機であり、ギアボックス６１とギアボックスカバー６２の内部空間で回転するウォーム６５、第１伝達ギア６６、及び、第２伝達ギア６７を有する。ウォーム６５は、モータ６３に連結されて、モータ６３により回転する。
【００２２】
シャフト６８Ａ、６８Ｂが、ギアボックス６１とギアボックスカバー６２により支持されて、それぞれ第１伝達ギア６６と第２伝達ギア６７を回転可能に支持する。第１伝達ギア６６の一部は、ウォーム６５に噛み合うウォームホイールであり、ウォーム６５と第１伝達ギア６６は、ウォームギア６９を構成する。第１伝達ギア６６は、第２伝達ギア６７に噛み合う噛合ギアを有し、第２伝達ギア６７は、シャフト６８Ｂにより巻取シャフト３１に連結される。モータ６３が回転すると、ウォーム６５、第１伝達ギア６６、及び、第２伝達ギア６７が回転して、巻取シャフト３１が第２伝達ギア６７とともに回転する。
【００２３】
駆動手段６０は、ギア伝動機構６４のウォームギア６９を用いて、モータ６３の回転を減速して巻取シャフト３１に伝達して、巻取シャフト３１を回転させる。モータ６３が停止した状態では、ウォームギア６９のセルフロックにより、巻取シャフト３１の回転が阻止される。そのため、スクリーン１０の展開後に、スクリーン１０が展開状態に維持され、スクリーン１０のケース５０への収容後に、スクリーン１０が収容状態に維持される。
【００２４】
図５は、分解されたスクリーン１０と保持手段２０の斜視図である。
図示のように、ステイ４０は、２つの帯状の装着部材（第１装着部材４１、第２装着部材４２）と、１つ又は複数（ここでは、２つ）の回転可能なローラ４３と、ネジ４４を有する。スクリーン１０の本体である遮蔽シート１４が第１装着部材４１と第２装着部材４２の間に挟まれて、第１装着部材４１と第２装着部材４２がネジ４４により遮蔽シート１４に装着される。取付孔１５が、スクリーン１０の先端１１と第１装着部材４１に形成されており、ネジ４４が、取付孔１５を通して、第２装着部材４２のネジ孔４５に取り付けられる。ローラ４３は、スクリーン１０の展開時と巻取時に窓２に接触して、ステイ４０の移動に伴い窓２を転動する。
【００２５】
保持手段２０は、スクリーン１０の側縁１２に配置されてスクリーン１０に取り付けられた第１保持部材７０と第２保持部材８０を有する。第１保持部材７０と第２保持部材８０は、弾性変形可能な帯状部材であり、長細い板状をなす。ここでは、第１保持部材７０と第２保持部材８０の長さ方向は、スクリーン１０の展開方向Ｔに一致し、第１保持部材７０と第２保持部材８０は、スクリーン１０の展開方向Ｔに沿って配置される。第２保持部材８０が第１保持部材７０の窓２側に配置されて、第１保持部材７０と第２保持部材８０が重なるように配置される。
【００２６】
第１保持部材７０の基端７１と第２保持部材８０の基端８１には、取付孔３４が形成されている。取付孔３４内のネジ３５（図４参照）により、第１保持部材７０の基端７１と第２保持部材８０の基端８１が巻取シャフト３１に取り付けられる。スクリーン１０の巻取時に、第１保持部材７０と第２保持部材８０は、スクリーン１０とともに巻取シャフト３１に巻き取られて、巻取シャフト３１に巻き取られた巻取状態（巻取形状）でケース５０に収容される。スクリーン１０の展開時に、第１保持部材７０と第２保持部材８０は、巻取シャフト３１から繰り出されて展開し、巻取状態から、それぞれの長さ方向に伸びる伸張状態（伸張形状）に変形する。第１保持部材７０と第２保持部材８０は、伸張状態で並置されて、伸張状態に維持され、スクリーン１０を展開状態に保持する。
【００２７】
図６は、巻取シャフト３１に巻き取られる第１保持部材７０と第２保持部材８０を示す斜視図であり、巻取初期の第１保持部材７０と第２保持部材８０の一部を示している。また、図６では、巻取装置３０を切断して、ケース５０内の巻取シャフト３１を示している。図７は、図６に示す第１保持部材７０と第２保持部材８０の斜視図であり、分離させた第１保持部材７０と第２保持部材８０を示している。
【００２８】
図示のように、第１保持部材７０と第２保持部材８０の長さ方向に直交する幅方向において、伸張状態の第１保持部材７０と第２保持部材８０の断面形状は、弧状の湾曲形状になっている。そのため、第１保持部材７０は、弧状に湾曲した２つの湾曲面７２、７３を有し、第２保持部材８０は、弧状に湾曲した２つの湾曲面８２、８３を有する。一方の湾曲面７２、８２は、凹状の湾曲面（凹曲面）であり、他方の湾曲面７３、８３は、凸状の湾曲面（凸曲面）である。
【００２９】
伸張状態の第１保持部材７０と第２保持部材８０は、互いに反対方向に湾曲した状態に配置される。即ち、第１保持部材７０と第２保持部材８０の凹状の湾曲面７２、８２が反対方向に向けて配置されて、第１保持部材７０と第２保持部材８０が伸張状態で互いに反対方向に湾曲する。ここでは、第１保持部材７０と第２保持部材８０は、伸張状態で、凹状の湾曲面７２、８２を対向させて配置されて、湾曲面７２、８２の間に隙間２３を形成する。また、伸張状態で、第１保持部材７０と第２保持部材８０は、互いの両側縁を接触させて、筒状に配置される。
【００３０】
第１保持部材７０は、巻取状態から伸張状態に復元する弾性を有し、幅方向において弧状に湾曲して伸張状態を維持する。巻取シャフト３１からの展開時に、第１保持部材７０は、その弾性による弾性力（復元力）により、巻取状態から伸張状態に復元する。また、第１保持部材７０は、幅方向において弧状に湾曲する弾性を有する。巻取シャフト３１からの展開時に、第１保持部材７０は、巻取状態から伸張状態に復元するとともに、その弾性による弾性力により、幅方向において弧状に湾曲する形状に変形する。これにより、第１保持部材７０が伸張状態を維持する。幅方向の湾曲により、第１保持部材７０は、凹状の湾曲面７２側に比べて、凸状の湾曲面７３側に変形し難くなっている。巻取シャフト３１への巻取時に、第１保持部材７０は、凹状の湾曲面７２側に弾性変形されるとともに、幅方向において平らな形状に弾性変形されつつ、巻取シャフト３１に巻き取られる。
【００３１】
第２保持部材８０は、伸張状態から巻取状態に復元する弾性を有する定荷重ばねからなる。そのため、第２保持部材８０は、定荷重ばねの機能を有し、一定の荷重で巻取シャフト３１から繰り出され、一定の荷重で他の部材を引っ張りつつ巻取シャフト３１に巻き取られる。巻取シャフト３１への巻取時に、第２保持部材８０は、その弾性による弾性力（復元力）により、伸張状態から巻取状態に復元して、巻取状態に維持される。巻取状態で、第２保持部材８０は、幅方向において平らな形状に弾性変形されている。
【００３２】
また、第２保持部材８０は、幅方向において弧状に湾曲する弾性を有する。巻取シャフト３１からの展開時に、第２保持部材８０は、巻取状態から伸張状態に弾性変形されるとともに、その弾性による弾性力により、幅方向において弧状に湾曲した形状に変形する。これにより、第２保持部材８０が伸張状態を維持する。幅方向の湾曲により、第２保持部材８０の弾性力に対する抵抗力が高くなり、第２保持部材８０の巻取状態への復元が阻止される。第２保持部材８０は、弾性力に抗して、伸張状態に維持される。このように、第２保持部材８０は、幅方向において弧状に湾曲して伸張状態を維持する。伸張状態の第２保持部材８０は、凹状の湾曲面８２側に比べて、凸状の湾曲面８３側に変形し易く、湾曲面８３側に変形して復元する。
【００３３】
巻取シャフト３１への巻取時に、第２保持部材８０は、幅方向において平らな形状に弾性変形されるとともに、凸状の湾曲面８３側に変形して、巻取シャフト３１に巻き取られる。これにより、第２保持部材８０が伸張状態から巻取状態に復元する。第１保持部材７０と第２保持部材８０は、幅方向において平らな形状に弾性変形されて、重なる状態で巻取シャフト３１に巻き取られる。その際、第２保持部材８０の外周に第１保持部材７０が重なり、第１保持部材７０と第２保持部材８０が径方向外側に向かって順に重なるように巻取シャフト３１に巻き取られる。
【００３４】
第１保持部材７０は、第２保持部材８０より長く（図５参照）、先端７４に取付孔１５を有する。取付孔１５内のネジ４４により、第１保持部材７０の先端７４は、スクリーン１０の先端１１及びステイ４０に取り付けられる。これに対し、第２保持部材８０の先端８４は、スクリーン１０の先端１１、ステイ４０、及び、第１保持部材７０の先端７４に取り付けられず、第１保持部材７０の先端７４に対して第１保持部材７０の長さ方向に変位可能である。第１保持部材７０と第２保持部材８０が重なる状態で巻取シャフト３１に巻き取られるときには、第１保持部材７０の巻取量と第２保持部材８０の巻取量の間に差が生じる。巻取量の差に対応して、第２保持部材８０の先端８４が第１保持部材７０の先端７４に対して変位する。これにより、第１保持部材７０と第２保持部材８０が巻取シャフト３１に円滑に巻き取られる。
【００３５】
図８は、スクリーン１０に取り付けられた第１保持部材７０と第２保持部材８０の断面図であり、幅方向に切断した第１保持部材７０と第２保持部材８０を示している。また、図８Ａは、図４のＸ１−Ｘ１線における断面図であり、図８Ｂは、図４のＸ２−Ｘ２線における断面図である。
図示のように、スクリーン１０は、側縁１２に筒状の収容部１６を有する。第１保持部材７０と第２保持部材８０は、収容部１６に収容されて、収容部１６の内面に接触する。収容部１６内で、第１保持部材７０と第２保持部材８０は、対向して配置されて、互いの両側縁を接触させる。これにより、第１保持部材７０と第２保持部材８０は、互いに力を作用させる状態で、スクリーン１０に取り付けられる。
【００３６】
シェード装置１は、第１保持部材７０の先端７４と第２保持部材８０の先端８４の形状を保持する保形部材２４（図８Ｂ参照）を備えている。保形部材２４は、スクリーン１０の先端１１及びステイ４０に取り付けられて、先端７４、８４の間の隙間２３に配置される。保形部材２４により、先端７４、８４は、それぞれの幅方向において弧状に湾曲する形状に保持されるとともに、伸張状態に保持される。スクリーン１０がケース５０に収容された状態では、先端７４、８４とスクリーン１０の先端１１は、巻取シャフト３１に巻き取られない。そのため、先端７４、８４は、それぞれの幅方向において弧状に湾曲して、伸張状態に維持される。保形部材２４は、先端７４、８４の巻取シャフト３１に巻き取られない部分に配置される。
【００３７】
図９は、本実施形態のシェード装置１の動作を示す断面図であり、図２、図３のＹ方向からみたシェード装置１と窓２の断面を示している。
図示のように、スクリーン１０の展開時には、駆動手段６０が、スクリーン１０を展開させる方向に巻取シャフト３１を回転させる。これに伴い、保持手段２０の第１保持部材７０と第２保持部材８０は、スクリーン１０とともに、巻取シャフト３１から繰り出される。第１保持部材７０は、弾性力（復元力）により、伸張状態に復元するとともに、幅方向において弧状に湾曲する。同時に、第１保持部材７０は、伸張状態に変形させる力を第２保持部材８０に加える。第２保持部材８０は、伸張状態に弾性変形されるとともに、幅方向において弧状に湾曲する。その際、第１保持部材７０から受ける力により、第２保持部材８０の変形が補助される。
【００３８】
スクリーン１０がケース５０に収容された状態では（図９Ａ参照）、第１保持部材７０の先端７４と第２保持部材８０の先端８４は、巻取シャフト３１に巻き取られず、それぞれの幅方向において弧状に湾曲する。そのため、第２保持部材８０は、巻取シャフト３１からの繰り出しに伴い、先端８４と同様の形状に円滑に変形し、直ちに、弧状に湾曲して伸張状態になる（図６、図７参照）。これにより、第１保持部材７０と第２保持部材８０は、伸張状態を維持しながら一緒に繰り出されて、スクリーン１０とともに展開する。また、第１保持部材７０と第２保持部材８０は、一体となってスクリーン１０を保持しつつ展開する。
【００３９】
第１保持部材７０と第２保持部材８０は、伸張状態で互いに反対方向に湾曲する。そのため、第１保持部材７０のみからなる保持手段、及び、同じ方向に湾曲する２つの第１保持部材７０からなる保持手段に比べて、伸張状態の保持手段２０の剛性が高くなり、保持手段２０によるスクリーン１０の保持力も高くなる。保持手段２０の第１保持部材７０と第２保持部材８０により、スクリーン１０は、展開状態に強固に保持される。
【００４０】
巻取シャフト３１は、伸張状態の保持手段２０（第１保持部材７０、第２保持部材８０）の窓２側に配置され、窓２の反対側で保持手段２０を繰り出す。第１保持部材７０と第２保持部材８０は、伸張状態で、窓２側（湾曲面７２、８３側）よりも窓２の反対側（湾曲面７３、８２側）に曲がり難く、かつ、ケース５０の支持部５６により、窓２の反対側から支持される。また、スクリーン１０の展開中には（図９Ｂ、図９Ｃ参照）、ステイ４０が窓２に接触して、第１保持部材７０と第２保持部材８０が窓２の反対側に弾性的に曲げられる。第１保持部材７０と第２保持部材８０により、ステイ４０が窓２に押し付けられて、ステイ４０のばたつきが抑制される。
【００４１】
スクリーン１０が完全に展開したときに、ステイ４０は、窓２の上端に位置する係止部３に係止される。シェード装置１は、保持手段２０によりスクリーン１０を展開状態に保持して、スクリーン１０により窓２を遮蔽する。スクリーン１０は、保持手段２０により、窓２に沿って配置されて、窓２を遮蔽する状態に保持される。
【００４２】
スクリーン１０の巻取時には、駆動手段６０が、スクリーン１０を巻き取る方向に巻取シャフト３１を回転させる。これに伴い、保持手段２０の第１保持部材７０と第２保持部材８０は、スクリーン１０とともに、巻取シャフト３１に巻き取られて、ケース５０に収容される。その際、第２保持部材８０は、幅方向において平らな形状に弾性変形されるとともに、弾性力（復元力）により、巻取状態に復元する。同時に、第２保持部材８０は、巻取状態に変形させる力を第１保持部材７０に加える。第１保持部材７０は、巻取状態及び平らな形状に弾性変形されて、巻取シャフト３１に巻き取られる（図９Ａ参照）。その際、第２保持部材８０から受ける力により、第１保持部材７０の変形が補助される。
【００４３】
スクリーン１０がケース５０に収容された状態では（図６、図７参照）、第２保持部材８０により、第１保持部材７０の伸張状態への復元が抑止され、保持手段２０が巻取状態に安定して維持される。また、第１保持部材７０のみからなる保持手段、及び、同じ方向に湾曲する２つの第１保持部材７０からなる保持手段に比べて、巻取シャフト３１に巻き取られた保持手段２０の直径が小さくなり、ケース５０の小型化が可能になる。
【００４４】
以上説明したように、本実施形態のシェード装置１では、保持手段２０によるスクリーン１０の保持力を高くすることができる。また、ケース５０を大きくせずに、ケース５０内の巻取シャフト３１に保持手段２０をスクリーン１０とともに容易に巻き取ることができる。
【００４５】
第１保持部材７０と第２保持部材８０が伸張状態であるときに、凹状の湾曲面７２、８２を対向させることで、第１保持部材７０と第２保持部材８０の変形に対する剛性が高くなる。また、第１保持部材７０と第２保持部材８０の側縁が保持手段２０から突出せず、第１保持部材７０と第２保持部材８０がスクリーン１０の収容部１６に容易に収容される。これに伴い、収容部１６内の空間を小さくでき、第１保持部材７０と第２保持部材８０が幅方向にずれ難くなる。
【００４６】
保形部材２４（図８Ｂ参照）により、第１保持部材７０の先端７４と第２保持部材８０の先端８４を湾曲した形状に確実に保持することができる。これにより、スクリーン１０の展開時に、第１保持部材７０と第２保持部材８０を巻取状態から伸張状態に円滑に変形させることができる。第２保持部材８０の先端８４に力が加えられたときでも、保形部材２４により先端８４の形状を湾曲した形状に保持して、第２保持部材８０が弾性力（復元力）により巻取状態に復元するのを防止することができる。第１保持部材７０の先端７４のみによるステイ４０の保持力が低いときでも、保形部材２４により先端７４の形状を保持して、第１保持部材７０によりステイ４０を保持することができる。
【００４７】
なお、第１保持部材７０と第２保持部材８０の配置位置を変更してもよい。この場合には、第１保持部材７０と第２保持部材８０は、伸張状態で、凸状の湾曲面７３、８３を対向させて配置される。また、スクリーン１０の巻取時に、第１保持部材７０と第２保持部材８０は、第１保持部材７０の外周に第２保持部材８０が重なる状態で、巻取シャフト３１に巻き取られる。スクリーン１０は、矩形状以外の形状（例えば、台形状、平行四辺形状、三角形状、円形状）に形成してもよい。
【００４８】
図１０は、他の実施形態のシェード装置１の正面図であり、図３と同様に、窓２を遮蔽したシェード装置１を示している。
ここでは、図示のように、１つの保持手段２０が、両側縁１２の間のスクリーン１０の中央部１７に取り付けられている。スクリーン１０は、中央部１７に筒状の収容部１６を有し、第１保持部材７０と第２保持部材８０は、収容部１６に収容される。このように、１つの保持手段２０によりスクリーン１０を保持するようにしてもよい。また、３つ以上の保持手段２０によりスクリーン１０を保持してもよい。
【符号の説明】
【００４９】
１・・・シェード装置、２・・・窓、３・・・係止部、１０・・・スクリーン、１１・・・先端、１２・・・側縁、１３・・・基端、１４・・・遮蔽シート、１５・・・取付孔、１６・・・収容部、１７・・・中央部、２０・・・保持手段、２１・・・先端、２２・・・基端、２３・・・隙間、２４・・・保形部材、３０・・・巻取装置、３１・・・巻取シャフト、３２・・・ベアリング、３３・・・外周、３４・・・取付孔、３５・・・ネジ、３６・・・ネジ孔、４０・・・ステイ、４１・・・第１装着部材、４２・・・第２装着部材、４３・・・ローラ、４４・・・ネジ、４５・・・ネジ孔、５０・・・ケース、５１・・・メインケース、５２・・・第１サイドケース、５３・・・第２サイドケース、５４・・・ギアホルダ、５５・・・出入口、５６・・・支持部、６０・・・駆動手段、６１・・・ギアボックス、６２・・・ギアボックスカバー、６３・・・モータ、６４・・・ギア伝動機構、６５・・・ウォーム、６６・・・第１伝達ギア、６７・・・第２伝達ギア、６９・・・ウォームギア、７０・・・第１保持部材、７１・・・基端、７２・・・湾曲面、７３・・・湾曲面、７４・・・先端、８０・・・第２保持部材、８１・・・基端、８２・・・湾曲面、８３・・・湾曲面、８４・・・先端、Ｍ・・・巻取方向、Ｔ・・・展開方向。
【図１】
0006629576.tif 000002
【図２】
0006629576.tif 000003
【図３】
0006629576.tif 000004
【図４】
0006629576.tif 000005
【図５】
0006629576.tif 000006
【図６】
0006629576.tif 000007
【図７】
0006629576.tif 000008
【図８】
0006629576.tif 000009
【図９】
0006629576.tif 000010
【図１０】
0006629576.tif 000011